(57)【要約】【課題】  従来携帯型電子計算機端末を用いて駐車位置図を作成する場合、図の完成まで入力すべき事項が多い、もしくは、例えば道路地図上に作図すると、端末の処理負担が大きくなる課題があった。【解決手段】  駐車態様パターンごとに、見取図を保持する見取図データベース、見取図を特定し読み出す見取図特定機能、道路構成要素データベース、道路構成要素配置機能、車両要素データベース、車両要素配置機能、位置情報取得機能、道路状態情報取得機能、車両要素状態取得機能、見取図に道路要素情報・車両要素情報・位置情報・道路状態情報・車両要素状態情報を反映し、駐車位置図を作成する駐車位置図作成機能と、以上の機能により作成した駐車位置図を表示する表示部からなる駐車位置図作成装置。【選択図】  図１
2006154984.tif 000002
【特許請求の範囲】
【請求項１】
あらかじめ設定した駐車態様パターンごとに、駐車位置を書き込む見取図を保持する見取図データベースと、見取図データベースから見取図を特定し読み出す見取図特定機能と、道路構成要素を保持する道路構成要素データベースと、道路構成要素データベースから道路構成要素を選び出し見取図に配置する道路構成要素配置機能と、車両に関わる情報を保持する車両要素データベースと、車両要素を見取図に配置する車両要素配置機能と、見取図作成場所の位置情報を取得する位置情報取得機能と、道路の方位角・傾斜等の情報を取得する道路状態情報取得機能と、車両要素の方位角等の情報を取得する車両要素状態取得機能と、見取図に道路要素情報・車両要素情報・位置情報・道路状態情報・車両要素状態情報を反映し、駐車位置図を作成する駐車位置図作成機能と、以上の機能により作成した駐車位置図を表示する表示部からなる駐車位置図作成装置。
【請求項２】
請求項１に記載の駐車位置図作成装置において、道路構成要素及び道路状態情報及び車両要素状態と対応付けた違反規則情報を備え、道路構成要素及び道路状態情報及び車両要素状態と対応付けた違反規則情報を抽出し、違反判定結果を表示する機能を備えたことを特徴とする駐車位置図作成装置。
【請求項３】
請求項２に記載の駐車位置図作成装置において、上記車両要素の中に車種及び大きさを含む法律上の分類等情報を含み、上記道路構成要素の中に道路要素、道路標示と標識、構造物の情報を含むことを特徴とする駐車位置図作成装置。
【発明の詳細な説明】
【技術分野】
【０００１】
本発明は、駐車違反取締り業務などにおいて、携帯型電子計算機端末を用いて概略図を作成する装置に関する。
【背景技術】
【０００２】
従来、公道などにおける車両位置を示す図の作図を行おうとした場合、簡易に作図するために、現場において実際に計測された情報を元に作成した図をひな形として情報を再利用したり、車両位置を道路地図と重ね合わせることで位置を表現したりする方法が用いられてきた。作図装置としては、特許文献１及び特許文献２に示すような装置が提案されている。
【０００３】
特許文献１の装置は、例えば駐車違反発生現場の車両等の各要素間の距離等の情報を光学機器等を用いて取得し、車両など可変構成要素と横断歩道など不動構成要素との情報とに分け、当該場所の作図を行うとともに、同一場所にて駐車違反が発生した場合には、不動構成要素を再利用することにより、位置計測作図を行う装置である。
【０００４】
特許文献２に示すような技術は、駐車違反に関わる状況図を作成する際、状況を表す車両等の凡例パターンを記憶し、これを選択し、道路地図と重ね合わせることにより、状況図を作成・修正する方法およびその装置である。
【０００５】
【特許文献１】特開平６−３４３６９号公報
【特許文献２】特開平１１−２０３４９６号公報
【発明の開示】
【発明が解決しようとする課題】
【０００６】
上記従来技術の内、特許文献１の装置においては、例えば駐車違反現場等の状況を記録しようとした場合、不特定多数の場所で駐車違反が発生しうるため、初めて作図・記録対象となった場所では、各々初めから作図を行う必要があった。
【０００７】
また特許文献２の装置においては、例えば駐車違反現場等の状況を記録しようとした場合、車両等の凡例パターンとともに道路地図をデジタルデータとして記録し演算処理する必要がある。このデジタルデータは容量が大きく端末の記憶領域を圧迫し、またデータ量により算出処理を遅くするという問題があった。
【０００８】
本発明の目的は上記課題を解決し、少ない容量の支援データで有用な作図支援機能を備えることにより、初めて作図・記録対象となった場所においても簡易に駐車位置図を作成できる装置を提供することにある。さらに本発明の他の目的は、本発明により作成した駐車位置図を違反規則と照合することにより、自動的に違反判定が可能となる装置を提供することにある。
【課題を解決するための手段】
【０００９】
上記課題を解決し本発明の目的を達成するために、本発明の駐車位置図作成装置は、以下のような構成要素を備える。すなわち、あらかじめ設定した駐車態様パターンごとに、駐車位置を書き込む見取図を保持する見取図データベースと、見取図データベースから見取図を特定し読み出す見取図特定機能と、道路構成要素を保持する道路構成要素データベースと、道路構成要素データベースから道路構成要素を選び出し見取図に配置する道路構成要素配置機能と、車両に関わる情報を保持する車両要素データベースと、車両要素を見取図に配置する車両要素配置機能と、見取図作成場所の位置情報を取得する位置情報取得機能と、道路の方位角・傾斜等の情報を取得する道路状態情報取得機能と、車両要素の方位角等の情報を取得する車両要素状態取得機能と、見取図に道路要素情報・車両要素情報・位置情報・道路状態情報・車両要素状態情報を反映し、駐車位置図を作成する駐車位置図作成機能と、以上の機能により作成した駐車位置図を表示する表示部を携帯端末に備える。
【００１０】
本発明では、入力部から入力される情報などを手がかりとし、あらかじめ予想される駐車態様パターン等ごとに、駐車位置等を書き込む見取図を保持する見取図データベースと、見取図データベースから見取図を特定し読み出す見取図特定機能とにより、白紙の状態から作図を開始することなく、略図として半ば作成された見取図に構成要素を追加などしていくことを特徴とする。また、例えば、道路地図上に直接構成要素を書き込むことによる処理演算部への負担を軽減し信頼性を高めるため、本発明では、地図データを必要としない駐車位置図作成方式として、道路の様々な形態を模式化、パターン化した見取図を用い、見取図上に構成要素等を書き込む手法を特徴とする。例えば、本発明の中で用いている手法である、道路構成要素を保持する道路構成要素データベースと、その道路構成要素データベースから道路構成要素を選び出し見取図に配置する道路構成要素配置機能とは、従来の技術でも用いられてきていたが、それらは、最初から作図を行う際に貼り付けられる要素として用いられていたり、道路地図上に直接貼り付けられる要素として用いられてきた。
【００１１】
本発明では、あらかじめ予想される駐車態様パターン等ごとに、駐車位置等を書き込む見取図を保持する見取図データベース及び見取図データベースから見取図を特定し読み出す見取図特定機能と、道路構成要素を保持する道路構成要素データベース及び道路構成要素データベースから道路構成要素を選び出し見取図に配置する道路構成要素配置機能とを連携させることにより、見取図上に道路構成要素を配置することを特徴とする。また、車両に関わる情報を保持する車両要素データベースは従来から利用されているが、本発明では、車両に関わる情報を見取図データベース及び見取図特定機能と組み合わせることにより、車両の大きさなどを反映しながら車両要素を見取図に配置し、更に車両要素の大きさの情報を見取図上で再利用できる車両要素配置機能を特徴とする。また、例えばＧＰＳと連携したり住所データと連携し見取図作成場所の位置情報を取得する位置情報取得機能と、例えば計測機器等を用いて道路の方位角・傾斜等の情報を取得する道路状態情報取得機能と、例えば計測機器等を用いて車両要素の方位角等の情報を取得する車両要素状態取得機能とは、それぞれ従来より用いられている技術であるが、それら情報を見取図に道路要素情報・車両要素情報・位置情報・道路状態情報・車両要素状態情報として反映し、半ば作成された見取図から駐車位置図を作成する駐車位置図作成機能に連携する部分を特徴とする。また、例えば駐車位置図作成機能によって作成された駐車位置図を表示する表示部からなる部分を特徴とする。
【００１２】
また、本発明の他の目的を達成するために、本発明の駐車位置図作成装置は、道路構成要素及び道路状態情報及び車両要素状態と対応付けた違反規則情報を備え、道路構成要素及び道路状態情報及び車両要素状態と対応付けた違反規則情報を抽出し、違反判定結果を表示する機能を備える。さらに望ましくは、上記車両要素の中に車種及び大きさを含む法律上の分類等情報を含み、上記道路構成要素の中に道路要素、道路標示と標識、構造物の情報を含む。
【００１３】
従来の技術においては、駐車違反判定を行う際は、特定の場所のみで違反場所を設定して駐車継続時間をキー項目として判定処理を行っているが、本発明では、不特定の場所での違反判定に対応するため、道路構成要素及び道路状態情報及び車両要素状態と対応付けた違反規則情報を備え、道路構成要素及び道路状態情報及び車両要素状態と対応付けた違反規則情報を抽出し、駐車位置図作成機能によって作成された駐車位置図等により、違反判定を行うことを特徴とする。また、違反規則には車種や大きさによって違反条件が異なるものや、道路要素、道路標示と標識、構造物に関連して設定された規則があるため、本発明では車両要素の中に車種及び大きさを含む法律上の分類等情報を含み、道路構成要素の中に道路要素、道路標示と標識、構造物の情報を含むことを特徴とする。
【発明の効果】
【００１４】
以上本発明の駐車位置図作成装置によれば、入力部から入力される情報を手がかりとし、あらかじめ予想される駐車態様パターンごとに設定した見取図を読み出して、見取図上に道路構成要素と車両要素を配置し、さらにそれらの状態に応じて配置を変化させることで、作図作業を簡易化し、また見取図及びそれぞれの構成要素を模式化した略図として備えることで、地図データを必要とすることなく、安価で、かつ、処理演算部への負担の軽減により信頼性の高い装置とすることができる。
【００１５】
さらに本発明の駐車位置図作成装置によれば、道路構成要素及び道路状態情報及び車両要素状態と対応付けた違反規則情報を備えることで、作成した駐車位置図の道路構成要素及び道路状態情報及び車両要素状態に対応する違反規則情報を抽出することが可能となり、自動的に違反判定を行うことが可能となることによって、公平性・客観性の求められる違反判定業務において、個人差によらない違反判定業務支援を行うことができる。さらに車両要素の中に車種及び大きさを含む法律上の分類等情報、道路構成要素の中に道路要素、道路標示と標識、構造物の情報、といった詳細情報を含むことで、より正確に公平かつ客観的な違反判定業務支援が可能となる。
【発明を実施するための最良の形態】
【００１６】
以下、図面を参照して本発明の一実施の形態を説明する。
【００１７】
図１は本発明の駐車位置図作成装置の構成図である。図１を用いて本駐車位置図作成装置実施の形態の要点について説明する。本発明における駐車位置図作成装置（１１４）は、入力部（１０２）を備え、あらかじめ予想される駐車態様パターン等ごとに、駐車位置等を書き込む見取図を保持する見取図データベース（１１１）と、見取図データベースから見取図を特定し読み出す見取図特定機能（１０３）と、道路構成要素を保持する道路構成要素データベース（１１２）と、道路構成要素データベースから道路構成要素を選び出し見取図に配置する道路構成要素配置機能（１０４）と、車両に関わる情報を保持する車両要素データベース（１１３）と、車両要素を見取図に配置する車両要素配置機能（１０５）と、見取図作成場所の位置情報を取得する位置情報取得機能（１０６）と、道路の方位角・傾斜等の情報を取得する道路状態情報取得機能（１０７）と、車両要素の方位角等の情報を取得する車両要素状態取得機能（１０８）と、見取図に道路要素情報・車両要素情報・位置情報・道路状態情報・車両要素状態情報を反映し、駐車位置図を作成する駐車位置図作成機能（１０９）と、作成された駐車位置図を表示する表示部（１０１）からなり、更に、道路構成要素及び道路状態情報及び車両要素状態と対応付けた違反規則情報を備え、道路構成要素及び道路状態情報及び車両要素状態と対応付けた違反規則情報を抽出し、違反判定機能（１１０）を有するほか、車両要素の中に車種及び大きさを含む法律上の分類等情報を含み、道路構成要素の中に道路要素、道路標示と標識、構造物の情報を含む。図２に、見取図データベースの構成要素例を示す。ここでは見取図データベースは見取図種別と基本道路構成要素と違反規則情報の情報を備える。図３に、道路構成要素データベースの構成要素例を示す。ここでは道路構成要素データベースは、道路構成要素、要素情報、違反規則情報の情報を備える。図４に、車両要素データベースの構成要素例を示す。ここでは車両要素データベースは、車両の名称、要素情報、法律上の分類の情報を備える。
【００１８】
図５から図１５は、本発明の駐車位置図作成装置によって駐車位置図を作成する場合に表示部（１０１）に表示される画面の遷移例である。次に図１６を用いて、本駐車位置図作成装置による駐車位置図作成処理の流れを図５から図１５までの表示画面と対応付けて説明する。
【００１９】
まず、駐車位置図作成装置の見取図特定機能（１０３）で見取図を特定する（ステップ１６０１）。次に車両要素データベース（１１３）から要素を選択し、車両要素配置機能（１０５）により車両要素を選択して配置する（ステップ１６０２）。この際、例えばデジタルカメラ等を使用し、対象車両を撮影し、画像処理技術を用いて対象車両の特徴の抽出等を行い、車両要素として反映させて入力を支援しても良い。図５は、見取図特定及び車両要素配置画面例である。
【００２０】
次に道路構成要素を保持する道路構成要素データベース（１１２）から道路構成要素を選び出し、道路構成要素配置機能（１０４）により道路構成要素（描画時の基本構造物）を配置する（ステップ１６０３）。この際、例えばデジタル傾斜計、デジタル方位磁針、レーザ測距機器を付属・連携しなどして入力を支援しても良い。図６は、道路構成要素（描画時の基本構造物）配置画面例である。
【００２１】
次に位置情報取得機能（１０６）により位置情報取得を行う（ステップ１６０４）。この際、例えばＧＰＳ機能を付属・連携し、もしくは、住所情報データベースと連携する等して、入力を支援しても良い。図７は、位置情報取得画面例である。
【００２２】
次に道路状態情報取得機能（１０７）により道路状態情報取得を行い駐車位置図作成機能（１０９）により配置する（ステップ１６０５）。図８は、道路状態情報取得（道路方位取得時）の画面例である。
【００２３】
次に車両要素状態取得機能（１０８）により車両要素状態取得を行い駐車位置図作成機能（１０９）により配置する（ステップ１６０６）。この際、例えばデジタル傾斜計、デジタル方位磁針、レーザ測距機器を付属・連携しなどして入力を支援しても良い。図９は、道路状態情報取得（道路傾斜角取得時）及び車両要素状態取得（車両方位角取得時）画面例である。車両要素については、この図にさらに詳細な状態を入力する。図１０に車両要素状態取得（車両要素状態情報入力要求時）の画面例を示す。詳細入力情報を反映すると、図１１の車両要素状態取得（車両要素状態情報反映時）画面例のようになる。
【００２４】
道路構成要素についても、この図にさらに詳細な状態を入力する。次に道路状態情報取得機能（１０７）により取得した道路構成要素（目印等）を駐車位置図作成機能（１０９）により配置する（ステップ１６０７）。この際、例えばデジタル傾斜計、デジタル方位磁針、レーザ測距機器を付属・連携しなどして入力を支援しても良い。図１２に、道路構成要素（目印等）配置（道路構成要素情報入力要求時）画面例を示す。詳細入力情報を反映すると、図１３の、道路構成要素（目印等）配置（道路構成要素情報反映時）画面例のようになる。
【００２５】
ここまでの処理で、本発明の駐車位置図作成装置による駐車位置図の作成が完了する。
【００２６】
本発明の駐車位置図作成装置において、作成した駐車位置図に基づいて違反判定処理を行なう場合は、次のように違反規則情報と違反判定機能（１１０）とにより駐車違反判定を行い（ステップ１６０８）、判定結果を表示部（１０１）に表示する。図１４は、駐車違反判定（横断歩道対象）画面例であり、図１５は、駐車違反判定（横断歩道及びバス停対象）画面例である。
【産業上の利用可能性】
【００２７】
本システムは、その主な使用場面として、道路上にて車両などの位置を記録する場合の簡易作図装置としての、利用の可能性が期待できる。
【図面の簡単な説明】
【００２８】
【図１】本駐車位置図作成装置の装置構成図である。
【図２】見取図データベースの構成要素例である。
【図３】道路構成要素データベースの構成要素例である。
【図４】車両要素データベースの構成要素例である。
【図５】見取図特定及び車両要素配置画面例である。
【図６】道路構成要素（描画時の基本構造物）配置画面例である。
【図７】位置情報取得画面例である。
【図８】道路状態情報取得（道路方位取得時）画面例である。
【図９】道路状態情報取得（道路傾斜角取得時）及び車両要素状態取得（車両方位角取得時）画面例である。
【図１０】車両要素状態取得（車両要素状態情報入力要求時）画面例である。
【図１１】車両要素状態取得（車両要素状態情報反映時）画面例である。
【図１２】道路構成要素（目印等）配置（道路構成要素情報入力要求時）画面例である。
【図１３】道路構成要素（目印等）配置（道路構成要素情報反映時）画面例である。
【図１４】駐車違反判定（横断歩道対象）画面例である。
【図１５】駐車違反判定（横断歩道及びバス停対象）画面例である。
【図１６】図５から図１５までの画面が遷移する際の、本駐車位置図作成装置実施フロー例である。
【符号の説明】
【００２９】
１０１…作成された駐車位置図を表示する表示部、１０２…入力部、１０３…見取図データベースから見取図を特定し読み出す見取図特定機能、１０４…道路構成要素データベースから道路構成要素を選び出し見取図に配置する道路構成要素配置機能、１０５…車両要素を見取図に配置する車両要素配置機能、１０６…見取図作成場所の位置情報を取得する位置情報取得機能、１０７…道路の方位角・傾斜等の情報を取得する道路状態情報取得機能、１０８…車両要素の方位角等の情報を取得する車両要素状態取得機能、
１０９…見取図に道路要素情報・車両要素情報・位置情報・道路状態情報・車両要素状態情報を反映し、駐車位置図を作成する駐車位置図作成機能、１１０…道路構成要素及び道路状態情報及び車両要素状態と対応付けた違反規則情報を備え、道路構成要素及び道路状態情報及び車両要素状態と対応付けた違反規則情報を抽出し、違反判定機能、１１１…あらかじめ予想される駐車態様パターン等ごとに、駐車位置等を書き込む見取図を保持する見取図データベース、１１２…道路構成要素を保持する道路構成要素データベース、１１３…車両に関わる情報を保持する車両要素データベース、１１４…駐車位置図作成装置。
【図１】
2006154984.tif 000003
【図２】
2006154984.tif 000004
【図３】
2006154984.tif 000005
【図４】
2006154984.tif 000006
【図５】
2006154984.tif 000007
【図６】
2006154984.tif 000008
【図７】
2006154984.tif 000009
【図８】
2006154984.tif 000010
【図９】
2006154984.tif 000011
【図１０】
2006154984.tif 000012
【図１１】
2006154984.tif 000013
【図１２】
2006154984.tif 000014
【図１３】
2006154984.tif 000015
【図１４】
2006154984.tif 000016
【図１５】
2006154984.tif 000017
【図１６】
2006154984.tif 000018